(57)【特許請求の範囲】
【請求項１】
駆動源及びトランスミッションを含む駆動装置と、少なくとも乗員の駆動操作量に基づいて前記駆動装置の目標駆動力を演算する手段と、前記駆動源の駆動力を制御する駆動源制御手段と、前記トランスミッションの変速比を制御する変速比制御手段と、少なくとも前記駆動装置の駆動力を制御することにより駆動輪の駆動スリップを抑制するトラクション制御を行うトラクション制御手段とを有する車輌の駆動力制御装置に於いて、
前記トラクション制御が行われていないときには、前記駆動源制御手段及び前記変速比制御手段は前記目標駆動力に基づいてそれぞれ前記駆動源の駆動力及び前記トランスミッションの変速比を制御し、
前記トラクション制御が行われているときには、前記駆動源制御手段はトラクション制御用目標駆動力を前記目標駆動力よりも小さい値に演算し、該トラクション制御用目標駆動力に基づいて前記駆動源の駆動力を制御するが、前記変速比制御手段は前記トランスミッションの変速比の変更を抑制するための変速比制御用目標駆動力を前記目標駆動力よりも小さく且つ前記トラクション制御用目標駆動力よりも大きい値に演算し、該変速比制御用目標駆動力に基づいて前記トランスミッションの変速比を制御することを特徴とする車輌の駆動力制御装置。
【請求項２】
前記変速比制御手段は、前記目標駆動力に基づいて前記目標駆動力に比して小さい低下勾配にて低下変化する値に第一の修正目標駆動力を演算し、
何れかの駆動輪の駆動スリップ量が基準値よりも高いときには、前記トランスミッションの出力回転数及び前記トランスミッションの現在の変速比に基づいて、前記現在の変速比にて達成可能な前記駆動装置の駆動力の値に第二の修正目標駆動力を設定し、駆動輪の駆動スリップ量が前記基準値以下であるときには、前記目標駆動力及び路面の摩擦係数に基づいて暫定変速比制御用目標駆動力を演算し、前記トランスミッションの現在の変速比にて達成可能な前記駆動装置の駆動力の下限値及び前記暫定変速比制御用目標駆動力のうちの大きい方の値に第二の修正目標駆動力を設定することにより、前記目標駆動力と前記トラクション制御用目標駆動力との間の値であって前記トランスミッションの変速比の変更を防止する値に第二の修正目標駆動力を演算し、
前記第一及び第二の修正目標駆動力のうちの大きい方の値を前記変速比制御用目標駆動力として演算することを特徴とする請求項１に記載の車輌の駆動力制御装置。
【請求項３】
前記トラクション制御が行われている状況に於いて何れかの駆動輪の駆動スリップ量が基準値よりも高いときには、前記変速比制御手段は前記トランスミッションの出力回転数及び前記トランスミッションの現在の変速比に基づいて前記トランスミッションの現在の変速比にて達成可能な前記駆動装置の駆動力の下限値を求め、前記下限値よりも大きい値に前記第二の修正目標駆動力を設定することを特徴とする請求項２に記載の車輌の駆動力制御装置。
【請求項４】
前記トラクション制御が行われている状況に於いて何れかの駆動輪の駆動スリップ量が基準値よりも高いときには、前記変速比制御手段は前記トランスミッションの出力回転数及び前記トランスミッションの現在の変速比に基づいて前記トランスミッションの現在の変速比にて達成可能な前記駆動装置の駆動力の上限値及び下限値を求め、前記上限値と前記下限値との間の値に前記第二の修正目標駆動力を設定することを特徴とする請求項２に記載の車輌の駆動力制御装置。
【請求項５】
前記トラクション制御が行われている状況に於いて何れかの駆動輪の駆動スリップ量が基準値よりも高いときには、前記変速比制御手段は前記トランスミッションの出力回転数及び前記トランスミッションの現在の変速比に基づいて前記トランスミッションの現在の変速比にて達成可能な前記駆動装置の駆動力の上限値及び下限値を求め、前記上限値及び前記下限値の平均値に前記第二の修正目標駆動力を設定することを特徴とする請求項２に記載の車輌の駆動力制御装置。
【請求項６】
前記変速比制御手段は路面の摩擦係数が低いほど小さくなるよう前記暫定変速比制御用目標駆動力を演算することを特徴とする請求項２に記載の車輌の駆動力制御装置。
【請求項７】
前記基準値は前記トラクション制御の開始判定の駆動スリップ量の基準値よりも大きいことを特徴とする請求項３乃至６の何れか一つに記載の車輌の駆動力制御装置。
【請求項８】
前記トランスミッションは多段式の自動変速機を含んでいることを特徴とする請求項１乃至７の何れか一つに記載の車輌の駆動力制御装置。
【発明の詳細な説明】
【技術分野】
【０００１】
本発明は、車輌の駆動力制御装置に係り、更に詳細には乗員の運転操作状況及び車輌の走行状況に基づいて車輌の駆動力を制御する駆動力制御装置に係る。
【背景技術】
【０００２】
自動車等の車輌の駆動力制御装置の一つとして、例えば本願出願人の出願にかかる下記の特許文献１に記載されている如く、運転者の加速要求に応じて車輌の目標駆動力を演算し、目標駆動力に基づいてエンジンの目標スロットル開度及びトランスミッションの目標変速段を決定し、目標スロットル開度に基づいてエンジンの出力を制御すると共に目標変速段に基づいてトランスミッションの変速段を制御するよう構成された駆動力制御装置が従来より知られている。
【特許文献１】特開２００３−１９１７７４号公報
【発明の開示】
【発明が解決しようとする課題】
【０００３】
上述の如き従来の駆動力制御装置に於いては、トランスミッションの目標変速段は車輌の目標駆動力及び車速（又は車速に対応する値）に基づいて予め設定された変速線により一義的に決定され、車速はトランスミッションの出力回転数や車輪の回転速度に基づいて推定されるため、路面の摩擦係数の状況やトラクション制御の実行によりトランスミッションの変速段が不必要に変更される場合がある。
【０００４】
例えば車輌が低摩擦係数の路面にて加速するような場合に駆動輪の駆動スリップ量が大きくなると、トランスミッションの出力回転数や駆動輪の回転速度が増大することに起因して推定車速が高くなるので、車輌の実際の車速は上昇していないにも拘らず、駆動力制御装置は増大した推定車速に基づいてトランスミッションの目標変速段を決定し、そのためトランスミッションを不必要にシフトアップしてしまうことがある。
【０００５】
またトラクション制御の実行により駆動輪の駆動スリップ量が低下すると、トランスミッションの出力回転数や駆動輪の回転速度が低下することに起因して推定車速が低くなるので、車輌の実際の車速は低下していないにも拘らず、駆動力制御装置は低下した推定車速に基づいてトランスミッションの目標変速段を決定し、そのためトランスミッションを不必要にシフトダウンしてしまうことがある。
【０００６】
上記問題はトランスミッションの変速機が多段式の自動変速機である場合に限られるものではなく、トランスミッションの変速機が無段式の自動変速機である場合にも程度の差はあるが同様に発生することがある。
【０００７】
本発明は、運転者の加速要求に応じて目標駆動力が演算され、トランスミッションの目標変速比が目標駆動力及び車速に基づいて予め設定された変速線により決定されるよう構成された従来の駆動力制御装置に於ける上述の如き問題に鑑みてなされたものであり、本発明の主要な課題は、トラクション制御が実行される状況に於いてはトランスミッションの変速比の変更を抑制することにより、トランスミッションの変速比が不必要に変更されることを防止することである。
【課題を解決するための手段】
【０００８】
上述の主要な課題は、本発明によれば、請求項１の構成、即ち駆動源及びトランスミッションを含む駆動装置と、少なくとも乗員の駆動操作量に基づいて前記駆動装置の目標駆動力を演算する手段と、前記駆動源の駆動力を制御する駆動源制御手段と、前記トランスミッションの変速比を制御する変速比制御手段と、少なくとも前記駆動装置の駆動力を制御することにより駆動輪の駆動スリップを抑制するトラクション制御を行うトラクション制御手段とを有する車輌の駆動力制御装置に於いて、
前記トラクション制御が行われていないときには、前記駆動源制御手段及び前記変速比制御手段は前記目標駆動力に基づいてそれぞれ前記駆動源の駆動力及び前記トランスミッションの変速比を制御し、
前記トラクション制御が行われているときには、前記駆動源制御手段はトラクション制御用目標駆動力を前記目標駆動力よりも小さい値に演算し、該トラクション制御用目標駆動力に基づいて前記駆動源の駆動力を制御するが、前記変速比制御手段は前記トランスミッションの変速比の変更を抑制するための変速比制御用目標駆動力を前記目標駆動力よりも小さく且つ前記トラクション制御用目標駆動力よりも大きい値に演算し、該変速比制御用目標駆動力に基づいて前記トランスミッションの変速比を制御することを特徴とする車輌の駆動力制御装置によって達成される。
【００１０】
また本発明によれば、上述の主要な課題を効果的に達成すべく、上記請求項１の構成に於いて、前記変速比制御手段は、前記目標駆動力に基づいて前記目標駆動力に比して小さい低下勾配にて低下変化する値に第一の修正目標駆動力を演算し、
何れかの駆動輪の駆動スリップ量が基準値よりも高いときには、前記トランスミッションの出力回転数及び前記トランスミッションの現在の変速比に基づいて、前記現在の変速比にて達成可能な前記駆動装置の駆動力の値に第二の修正目標駆動力を設定し、駆動輪の駆動スリップ量が前記基準値以下であるときには、前記目標駆動力及び路面の摩擦係数に基づいて演算される暫定変速比制御用目標駆動力を演算し、前記トランスミッションの現在の変速比にて達成可能な前記駆動装置の駆動力の下限値及び前記暫定変速比制御用目標駆動力のうちの大きい方の値に第二の修正目標駆動力を設定することにより、前記目標駆動力と前記トラクション制御用目標駆動力との間の値であって前記トランスミッションの変速比の変更を防止する値に第二の修正目標駆動力を演算し、
前記第一及び第二の修正目標駆動力のうちの大きい方の値を前記変速比制御用目標駆動力として演算するよう構成される（請求項２の構成）。
【００１１】
また本発明によれば、上述の主要な課題を効果的に達成すべく、上記請求項２の構成に於いて、前記トラクション制御が行われている状況に於いて何れかの駆動輪の駆動スリップ量が基準値よりも高いときには、前記変速比制御手段は前記トランスミッションの出力回転数及び前記トランスミッションの現在の変速比に基づいて前記トランスミッションの現在の変速比にて達成可能な前記駆動装置の駆動力の下限値を求め、前記下限値よりも大きい値に前記第二の修正目標駆動力を設定するよう構成される（請求項３の構成）。
【００１２】
また本発明によれば、上述の主要な課題を効果的に達成すべく、上記請求項２の構成に於いて、前記トラクション制御が行われている状況に於いて何れかの駆動輪の駆動スリップ量が基準値よりも高いときには、前記変速比制御手段は前記トランスミッションの出力回転数及び前記トランスミッションの現在の変速比に基づいて前記トランスミッションの現在の変速比にて達成可能な前記駆動装置の駆動力の上限値及び下限値を求め、前記上限値と前記下限値との間の値に前記第二の修正目標駆動力を設定するよう構成される（請求項４の構成）。
【００１３】
また本発明によれば、上述の主要な課題を効果的に達成すべく、上記請求項２の構成に於いて、前記トラクション制御が行われている状況に於いて何れかの駆動輪の駆動スリップ量が基準値よりも高いときには、前記変速比制御手段は前記トランスミッションの出力回転数及び前記トランスミッションの現在の変速比に基づいて前記トランスミッションの現在の変速比にて達成可能な前記駆動装置の駆動力の上限値及び下限値を求め、前記上限値及び前記下限値の平均値に前記第二の修正目標駆動力を設定するよう構成される（請求項５の構成）。
【００１５】
また本発明によれば、上述の主要な課題を効果的に達成すべく、上記請求項２の構成に於いて、前記変速比制御手段は路面の摩擦係数が低いほど小さくなるよう前記暫定変速比制御用目標駆動力を演算するよう構成される（請求項６の構成）。
【００１６】
また本発明によれば、上述の主要な課題を効果的に達成すべく、上記請求項３乃至６の何れか一つの構成に於いて、前記基準値は前記トラクション制御の開始判定の駆動スリップ量の基準値よりも大きいよう構成される（請求項７の構成）。
【００１７】
また本発明によれば、上述の主要な課題を効果的に達成すべく、上記請求項１乃至７の何れか一つの構成に於いて、前記トランスミッションは多段式の自動変速機を含んでいるよう構成される（請求項８の構成）。
【発明の効果】
【００１８】
上記請求項１の構成によれば、少なくとも乗員の駆動操作量に基づいて駆動装置の目標駆動力が演算される。そしてトラクション制御が行われていないときには、目標駆動力に基づいて駆動源の駆動力及びトランスミッションの変速比が制御される。これに対しトラクション制御が行われているときには、駆動源の駆動力は目標駆動力よりも小さいトラクション制御用目標駆動力に基づいて制御されるが、トランスミッションの変速比は目標駆動力よりも小さく且つトラクション制御用目標駆動力よりも大きい変速比制御用目標駆動力に基づいて、即ちトランスミッションの変速比の変更を抑制する変速比制御用目標駆動力に基づいて制御される。従ってトラクション制御が行われている状況に於いて、駆動源の駆動力の制御に影響を及ぼすことなく、駆動輪の車輪速度が増減変化することに起因してトランスミッションの変速比が不必要に変更される虞れを効果的に低減することができる。
【００２０】
また上記請求項２の構成によれば、目標駆動力に基づいて目標駆動力に比して小さい低下勾配にて低下変化する値に第一の修正目標駆動力が演算される。また何れかの駆動輪の駆動スリップ量が基準値よりも高いときには、トランスミッションの出力回転数及びトランスミッションの現在の変速比に基づいて、現在の変速比にて達成可能な駆動装置の駆動力の値に第二の修正目標駆動力が設定され、駆動輪の駆動スリップ量が基準値以下であるときには、目標駆動力及び路面の摩擦係数に基づいて暫定変速比制御用目標駆動力を演算し、トランスミッションの現在の変速比にて達成可能な駆動装置の駆動力の下限値及び暫定変速比制御用目標駆動力のうちの大きい方の値に第二の修正目標駆動力が設定されることにより、目標駆動力とトラクション制御用目標駆動力との間の値であってトランスミッションの変速比の変更を防止する値に第二の修正目標駆動力が演算され、第一及第二の修正目標駆動力のうちの大きい方の値が変速比制御用目標駆動力として演算される。従って目標駆動力に比して低下変化が小さく且つトランスミッションの変速比の変更を防止することのできる変速比制御用目標駆動力を演算することができる。
また上記請求項２の構成によれば、トラクション制御が行われている状況に於いて駆動輪の駆動スリップ量が基準値以下であるときには、目標駆動力及び路面の摩擦係数に基づいて暫定変速比制御用目標駆動力が演算され、トランスミッションの現在の変速比にて達成可能な駆動装置の駆動力の下限値及び暫定変速比制御用目標駆動力のうちの大きい方の値が第二の修正目標駆動力に設定される。従って目標駆動力及び路面の摩擦係数に応じて変速比制御用目標駆動力をトランスミッションの変速比の変更を抑制する値に最適に設定することができると共に、トランスミッションの変速比が不必要にアップシフト側へ変更されることを確実に防止することができる。
【００２１】
また上記請求項３の構成によれば、トランスミッションの出力回転数及びトランスミッションの現在の変速比に基づいてトランスミッションの現在の変速比にて達成可能な前記駆動装置の駆動力の下限値が求められ、第二の修正目標駆動力は該下限値よりも大きい値に設定される。従ってトランスミッションの変速比が不必要にアップシフト側へ変更されることを確実に防止することができる。
【００２２】
また上記請求項４の構成によれば、トランスミッションの出力回転数及びトランスミッションの現在の変速比に基づいてトランスミッションの現在の変速比にて達成可能な駆動装置の駆動力の上限値及び下限値が求められ、上限値と下限値との間の値に第二の修正目標駆動力が設定される。従ってトランスミッションの変速比が不必要にアップシフト側及びダウンシフト側へ変更されることを確実に防止することができる。
【００２３】
また上記請求項５の構成によれば、トランスミッションの出力回転数及びトランスミッションの現在の変速比に基づいてトランスミッションの現在の変速比にて達成可能な駆動装置の駆動力の上限値及び下限値が求められ、上限値及び下限値の平均値に変速比制御用目標駆動力が設定される。従ってトランスミッションの変速比が不必要にアップシフト側及びダウンシフト側へ変更されることを上記請求項４の構成の場合よりも更に一層確実に防止することができる。
【００２５】
また上記請求項６の構成によれば、暫定変速比制御用目標駆動力は路面の摩擦係数が低いほど小さくなるよう演算される。従って路面の摩擦係数が低いほどトランスミッションの変速比の変更を抑制する効果を高くすることができる。
【００２６】
また上記請求項７の構成によれば、基準値はトラクション制御の開始判定の駆動スリップ量の基準値よりも大きいので、トラクション制御が行われている状況に於いて何れかの駆動輪の駆動スリップ量が基準値よりも高いか否かに応じて変速比制御用目標駆動力を最適に設定することができる。
【００２７】
また上記請求項８の構成によれば、トランスミッションは多段式の自動変速機を含んでいるので、トランスミッションの変速段が不必要に変更されることを抑制又は防止することができる。
【００２８】
［課題解決手段の好ましい態様］
本発明の一つの好ましい態様によれば、上記請求項１乃至８の構成に於いて、変速比制御手段はトラクション制御が行われていないときには目標駆動力及び車速に対応する状態量に基づいてトランスミッションの変速比を制御し、トラクション制御が行われているときには変速比制御用目標駆動力及び車速に対応する状態量に基づいてトランスミッションの変速比を制御するよう構成される（好ましい態様１）。
【００３０】
本発明の他の一つの好ましい態様によれば、上記請求項１乃至８又は上記好ましい態様１の構成に於いて、トランスミッションは無段式の自動変速機を含んでいるよう構成される（好ましい態様２）。
【００３２】
本発明の他の一つの好ましい態様によれば、上記請求項２乃至８の構成に於いて、変速比制御手段は低下変化の応答性が増加変化の応答性よりも低いフィルタ処理を目標駆動力に対し行うことにより第一の修正目標駆動力を演算するよう構成される（好ましい態様３）。
【００３３】
本発明の他の一つの好ましい態様によれば、上記請求項２乃至８又は好ましい態様３の構成に於いて、変速比制御手段は乗員の加速要求が高いときには乗員の加速要求が低いときに比して第一の修正目標駆動力の低下制限度合を高くするよう構成される（好ましい態様４）。
【発明を実施するための最良の形態】
【００３４】
以下に添付の図を参照しつつ、本発明を好ましい実施例について詳細に説明する。
【００３５】
図１は後輪駆動車に適用された本発明による車輌の駆動力制御装置の一つの実施例を示す概略構成図、図２は実施例１の制御系を示すブロック図である。
【００３６】
図１に於いて、１０はエンジンを示しており、エンジン１０の駆動力はトルクコンバータ１２及び歯車式変速機構１４を含むオートマチックトランスミッション１６を介してプロペラシャフト１８へ伝達される。エンジン１０及びオートマチックトランスミッション１６は互いに共働して車輌の駆動装置１０Ａを構成している。
【００３７】
プロペラシャフト１８の駆動力はディファレンシャル２０により左後輪車軸２２L及び右後輪車軸２２Rへ伝達され、これにより駆動輪である左右の後輪２４RL及び２４RRが回転駆動される。一方左右の前輪２４FL及び２４FRは従動輪であると共に操舵輪であり、図１には示されていないが、運転者によるステアリングホイールの転舵に応答して駆動されるラック・アンド・ピニオン式のパワーステアリング装置によりタイロッドを介して操舵される。
【００３８】
左右の前輪２４FL、２４FR及び左右の後輪２４RL、２４RRの制動力は制動装置２６の油圧回路２８により対応するホイールシリンダ３０FL、３０FR、３０RL、３０RRの制動圧が制御されることによって制御される。図１には示されていないが、油圧回路２８はオイルリザーバ、オイルポンプ、種々の弁装置等を含んでいる。
【００３９】
車輌の制駆動力は統合制御電子制御装置３２により制御される。統合制御電子制御装置３２は通常時には運転者によるアクセルぺダル３４の操作やエンジン負荷等に応じてエンジン１０の出力及びトランスミッション１６の変速段を制御すると共に、運転者によるブレーキペダル３６の踏み込み操作に応じて油圧回路２８を制御し、また必要に応じて車輌の走行運動を制御すべくエンジン１０の出力及びトランスミッション１６の変速段を制御すると共に、油圧回路２８を制御し、これにより車輌の制駆動力を制御する。
【００４０】
図２に示されている如く、統合制御電子制御装置３２は駆動力制御電子制御装置４０と車輌運動制御電子制御装置４２とを含み、駆動力制御電子制御装置４０及び車輌運動制御電子制御装置４２は相互に必要な情報の授受を行い、互いに共働して運転者の駆動要求及び制動要求に応じて車輌の制駆動力を制御すると共に、各車輪の制駆動力の制御によって車輌の走行運動を安定化させる。尚図２には詳細に示されていないが、駆動力制御電子制御装置４０及び車輌運動制御電子制御装置４２はそれぞれＣＰＵとＲＯＭとＲＡＭと入出力ポート装置とを有し、これらが双方向性のコモンバスにより互いに接続されたマイクロコンピュータ及び駆動回路よりなっていてよい。
【００４１】
図２に示されている如く、駆動力制御電子制御装置４０は運転者要求目標駆動力演算部４４、調停部４６、分配部４８、発生駆動力演算部５０を有し、車輌運動制御電子制御装置４２は運動状態推定部５４、制駆動力分配部５６、修正目標駆動力演算部５８を有している。
【００４２】
運転者要求目標駆動力演算部４４にはアクセルペダル３４に設けられたアクセル開度センサの如き駆動操作量検出センサ６２より運転者の駆動操作量Ａを示す信号が入力される。運転者要求目標駆動力演算部４４は運転者の駆動操作量Ａに基づいて運転者要求目標駆動力Ｆp_dvmを演算し、運転者要求目標駆動力Ｆp_dvmを示す信号を調停部４６へ出力すると共に、車輌運動制御電子制御装置４２の運動状態推定部５４及び修正目標駆動力演算部５８へ出力する。
【００４３】
調停部４６には上記運転者要求目標駆動力Ｆp_dvmを示す信号に加えて、車輌運動制御電子制御装置４２の制駆動力分配部５６より制駆動力分配後の目標駆動力Ｆp_t_nowを示す信号及び制駆動力分配後の目標駆動力Ｆp_t_nowがあるか否か（ONのとき「あり」、OFFのとき「なし」）を示すフラグＦ_FP_NOW信号が入力され、また修正目標駆動力演算部５８より修正目標駆動力Ｆp_t_futureを示す信号及び修正目標駆動力Ｆp_t_futureがあるか否か（ONのとき「あり」、OFFのとき「なし」）を示すフラグＦ_FP_FUTURE信号が入力される。
【００４４】
調停部４６は、フラグＦ_FP_NOW信号がOFFであるときには、調停後の目標駆動力Ｆp_nowを運転者要求目標駆動力Ｆp_dvmに設定し、フラグＦ_FP_FUTURE信号がOFFであるときには、調停後の修正目標駆動力Ｆp_futureを運転者要求目標駆動力Ｆp_dvmに設定する。これに対し調停部４６は、フラグＦ_FP_NOW信号がONであるときには、調停後の目標駆動力Ｆp_nowを制駆動力分配後の目標駆動力Ｆp_t_nowに設定し、フラグＦ_FP_FUTURE信号がONであるときには、調停後の修正目標駆動力Ｆp_futureを修正目標駆動力Ｆp_t_futureに設定する。
【００４５】
分配部４８には調停部４６より調停後の目標駆動力Ｆp_nowを示す信号及び調停後の修正目標駆動力Ｆp_futureを示す信号が入力され、回転数センサ７６よりトランスミッション１６の出力回転数Ｎtoutを示す信号が入力される。分配部４８は調停後の目標駆動力Ｆp_nowに基づいて目標エンジン出力トルクＴetを演算すると共に目標エンジン出力トルクＴetを示す信号をエンジン制御装置６４へ出力し、また調停後の修正目標駆動力Ｆp_future及びトランスミッション１６の出力回転数Ｎtoutに基づいて図４に示された変速線図に従ってトランスミッションの目標変速段Ｓtを演算すると共に目標変速段Ｓtを示す信号を自動変速機制御装置６６へ出力し、これにより車輌の駆動トルクＦp、即ちエンジン１０及びトランスミッション１６よりなる駆動装置１０Ａの出力トルクが調停後の目標駆動力Ｆp_nowになるよう制御する。
【００４６】
発生駆動力演算部５０にはエンジン制御装置６４より現在のエンジン出力トルクＴeaを示す信号が入力され、また自動変速機制御装置６６より現在の変速段Ｓaを示す信号が入力される。発生駆動力演算部５０は現在のエンジン出力トルクＴea及び現在の変速段Ｓaに基づいて車輌の現在の駆動トルクＦp_currentを演算し、車輌の現在の駆動トルクＦp_currentを示す信号を車輌運動制御電子制御装置４２の運動状態推定部５４へ出力する。また発生駆動力演算部５０は車輌の現在の駆動トルクＦp_current及び現在の変速段Ｓaを示す信号を車輌運動制御電子制御装置４２の修正目標駆動力演算部５８へ出力する。
【００４７】
運動状態推定部５４は車輪速度センサ６８i（ｉ＝fl、fr、rl、rr）により検出される各車輪の車輪速度Ｖwi（ｉ＝fl、fr、rl、rr）に基づき当技術分野に於いて公知の要領にて車体速度Ｖbを演算すると共に、左右後輪の駆動スリップ量ＳＡrl、ＳＡrrを演算し、駆動スリップ量ＳＡrl、ＳＡrrがトラクション制御（ＴＲＣ制御）開始の基準値ＳＡs（正の定数）よりも大きくなり、トラクション制御の開始条件が成立すると、トラクション制御の終了条件が成立するまで、当該車輪の駆動スリップ量を所定の範囲内にするためのトラクション制御の目標駆動力Ｆp_t_now_trcを演算する。
【００４８】
また運動状態推定部５４には駆動力制御電子制御装置４０の運転者要求目標駆動力演算部４４よりの運転者要求目標駆動力Ｆp_dvmを示す信号及び発生駆動力演算部５０よりの車輌の現在の駆動トルクＦp_currentを示す信号に加えて、図２には示されていないが、図１に示されている如く車輪速度センサ６８i（ｉ＝fl、fr、rl、rr）より各車輪の車輪速度Ｖwi（ｉ＝fl、fr、rl、rr）を示す信号が入力され、また操舵角センサ、前後加速度センサ、横加速度センサ、ヨーレートセンサの如き車輌状態量検出センサ７０より操舵角θ、車輌の前後加速度Ｇx、車輌の横加速度Ｇy、車輌のヨーレートγを示す信号等が入力される。
【００４９】
運動状態推定部５４は各車輪の車輪速度に基づく車体速度Ｖb及び操舵角θに基づいて当技術分野に於いて公知の要領にて車輌の目標ヨーレートγtを演算し、車輌の実際のヨーレートγと目標ヨーレートγtとの偏差Δγに基づいて車輌の挙動を判定し、ヨーレート偏差Δγの大きさが大きく車輌の挙動の制御が必要であるときには、ヨーレート偏差Δγの大きさを小さくするための目標駆動力として目標駆動力Ｆp_t_now_vscを演算する。
【００５０】
尚運動状態推定部５４は制動時には車輌の前後加速度Ｇx等の車輌状態量に基づき当技術分野に於いて公知の要領にて車輌のスピンの程度を示すスピン状態量ＳＳ及び車輌のドリフトアウトの程度を示すドリフトアウト状態量ＤＳを演算し、スピン状態量ＳＳ及びドリフトアウト状態量ＤＳに基づき車輌の挙動を判定し、車輌の挙動がスピン状態又はドリフトアウト状態であるときにはこれらを抑制するための挙動制御の各車輪の目標制動力Ｆbvti（ｉ＝fl、fr、rl、rr）を演算する。
【００５１】
尚車輌挙動の判定及び車輌の走行運動を安定化させるための挙動制御の目標駆動力Ｆp_t_now_vscや目標制動力Ｆbvtiの演算自体は本発明の要旨をなすものではなく、当技術分野に於いて公知の任意の要領にて行われてよい。
【００５２】
また運動状態推定部５４は当技術分野に於いて公知の要領にて路面の摩擦係数μ及び各車輪の横力Ｆwyi（ｉ＝fl、fr、rl、rr）を推定し、路面の摩擦係数μがその基準値μo（正の定数）よりも大きく且つ何れかの車輪の横力Ｆwyiが基準値Ｆwyo（正の定数）よりも大きいときには、車輌が高横力旋回状態にあると判定する。
【００５３】
また運動状態推定部５４は車輌の挙動が安定しておりトラクション制御も挙動制御も不要であり車輌が高横力旋回状態にはないときには、車輌の目標制駆動力Ｆ_tを運転者要求目標駆動力Ｆp_dvmに設定して車輌の目標制駆動力Ｆ_tを示す信号を制駆動力分配部５６へ出力する。これに対し運動状態推定部５４は、トラクション制御が必要であると判定したときには、車輌の目標制駆動力Ｆ_tをトラクション制御の目標駆動力Ｆp_t_now_trcに設定すると共に、トラクション制御の判定結果及び車輌の目標制駆動力Ｆ_tを示す信号を制駆動力分配部５６へ出力する。また運動状態推定部５４は、挙動制御が必要であると判定したときには、車輌の目標制駆動力Ｆ_tを挙動制御の目標駆動力Ｆp_t_now_vscに設定すると共に、車輌挙動の判定結果及び車輌の目標制駆動力Ｆ_tを示す信号を制駆動力分配部５６へ出力する。
【００５４】
更に運動状態推定部５４はトラクション制御及び挙動制御が必要であるときには、下記の式１に従ってトラクション制御の目標駆動力Ｆp_t_now_trc及び挙動制御の目標駆動力Ｆp_t_now_vscのうちの小さい方の値を車輌の目標駆動力Ｆ_tとして演算し、トラクション制御及び車輌挙動の判定結果及び車輌の目標制駆動力Ｆ_tを示す信号を制駆動力分配部５６へ出力する。
Ｆ_t＝MIN（Ｆp_t_now_trc，Ｆp_t_now_vsc）  ……（１）
【００５５】
制駆動力分配部５６は車輌の目標制駆動力Ｆ_tが正の値であり駆動力であるときには、目標制駆動力Ｆ_tを制駆動力分配後の目標駆動力Ｆp_t_nowとし、制駆動力分配後の目標駆動力Ｆp_t_nowを示す信号を駆動力制御電子制御装置４０の調停部４６及び修正目標駆動力演算部５８へ出力し、制駆動力分配後の目標駆動力Ｆp_t_nowがあるか否かを示すフラグＦ_FP_NOW信号を調停部４６へ出力する。
【００５６】
また制駆動力分配部５６は各車輪の車輪速度Ｖwiに基づき当技術分野に於いて公知の要領にて車体速度Ｖbを演算すると共に、各車輪の制動スリップ量ＳＢi（ｉ＝fl、fr、rl、rr）を演算し、制動スリップ量ＳＢiがアンチスキッド制御（ＡＢＳ制御）開始の基準値よりも大きくなり、アンチスキッド制御の開始条件が成立すると、アンチスキッド制御の終了条件が成立するまで、当該車輪の制動スリップ量を所定の範囲内にするためのアンチスキッド制御の目標制動力Ｆbvti（ｉ＝fl、fr、rl、rr）を演算する。
【００５７】
また制駆動力分配部５６はトラクション制御若しくは挙動制御が必要であるときには、それらの各判定結果に基づいて各車輪の目標制動力Ｆbvtiを演算する。そして制駆動力分配部５６は目標制動力Ｆbvtiがあるときには、目標制動力Ｆbvtiを示す信号を制動力制御装置７２へ出力する。
【００５８】
制動力制御装置７２にはブレーキペダル３６に設けられた制動操作量検出センサ７４により検出された運転者の制動操作量Ｆbを示す信号が入力され、また圧力センサ７６i（ｉ＝fl、fr、rl、rr）により検出されたホイールシリンダ３０FL〜３０RRの制動圧Ｐbi（ｉ＝fl、fr、rl、rr）を示す信号が入力される。制動力制御装置７２は運転者の制動操作量Ｆbに基づいて各車輪の目標制動力Ｆbti（ｉ＝fl、fr、rl、rr）を演算し、トラクション制御若しくは挙動制御若しくはアンチスキッド制御の目標制動力Ｆbvtiがあるときには、当該車輪の目標制動力Ｆbtiを目標制動力Ｆbvtiに置き換える。
【００５９】
そして制動力制御装置７２は目標制動力Ｆbtiに基づいて当技術分野に於いて公知の要領にて各車輪の目標制動圧Ｐbti（ｉ＝fl、fr、rl、rr）を演算し、各車輪の制動圧Ｐbiがそれぞれ対応する目標制動圧Ｐbtiになるよう油圧回路２８を制御することにより、各車輪の制動力Ｆbi（ｉ＝fl、fr、rl、rr）がそれぞれ対応する目標制動力Ｆbtiになるよう制御する。
【００６０】
修正目標駆動力演算部５８には運転者要求目標駆動力演算部４４より運転者要求目標駆動力Ｆp_dvmを示す信号が入力され、制駆動力分配部５６より制駆動力分配後の目標駆動力Ｆp_t_nowを示す信号が入力される。また修正目標駆動力演算部５８には回転数センサ７６よりトランスミッション１６の出力回転数Ｎtoutを示す信号が入力され、μセンサ７８より路面の摩擦係数μを示す信号が入力される。
【００６１】
修正目標駆動力演算部５８は制駆動力分配後の目標駆動力Ｆp_t_nowがトラクション制御の目標駆動力Ｆp_t_now_trcであるときには、下記の式２に従ってフィルタ処理後のトラクション制御の目標駆動力Ｆp_t_now_trcfを演算すると共に、下記の式３に従って一次遅れのフィルタ処理後のトラクション制御の目標駆動力Ｆp_t_now_trcf及びトラクション制御の目標駆動力Ｆp_t_now_trcのうちの大きい方の値をトラクション制御の第一の修正目標駆動力Ｆp_t_future_trc1とする。
Ｆp_t_now_trcf＝(１‐Ｋ1)／(１‐Ｋ1Ｚ-1)Ｆp_t_now_trc  ……（２）
Ｆp_t_future_trc1＝MAX（Ｆp_t_now_trcf，Ｆp_t_now_trc）  ……（３）
【００６２】
例えば図６は運転者の加速要求が増加し、運転者要求目標駆動力Ｆp_dvmが増加する過程に於いてトラクション制御が実行される場合に於ける運転者要求目標駆動力Ｆp_dvm、トラクション制御の目標駆動力Ｆp_t_now_trc、トラクション制御の第一の修正目標駆動力Ｆp_t_future_trc1の変化の一例を示している。図６に示されている如く、トラクション制御によりトラクション制御の目標駆動力Ｆp_t_now_trcが運転者要求目標駆動力Ｆp_dvmよりも小さい値に演算されるが、トラクション制御の第一の修正目標駆動力Ｆp_t_future_trc1は急激には低下せず、トラクション制御の開始後徐々に低下する。
【００６３】
また修正目標駆動力演算部５８は制駆動力分配後の目標駆動力Ｆp_t_nowが挙動制御の目標駆動力Ｆp_t_now_vscであるときには、下記の式４に従って一次遅れのフィルタ処理後の挙動制御の目標駆動力Ｆp_t_now_vscfを演算すると共に、下記の式５に従ってフィルタ処理後の挙動制御の目標駆動力Ｆp_t_now_vscf及び挙動制御の目標駆動力Ｆp_t_now_vscのうちの大きい方の値を挙動制御の修正目標駆動力Ｆp_t_future_vscとする。
Ｆp_t_now_vscf＝(１‐Ｋ2)／(１‐Ｋ2Ｚ-1)Ｆp_t_now_vsc  ……（４）
Ｆp_t_future_vsc＝MAX（Ｆp_t_now_vscf，Ｆp_t_now_vsc）  ……（５）
【００６４】
例えば図７は運転者の加速要求が増加し、運転者要求目標駆動力Ｆp_dvmが増加する過程に於いて挙動制御が実行される場合に於ける運転者要求目標駆動力Ｆp_dvm、挙動制御の目標駆動力Ｆp_t_now_vsc、挙動制御の修正目標駆動力Ｆp_t_future_vscの変化の一例を示している。図７に示されている如く、挙動制御により挙動制御の目標駆動力Ｆp_t_now_vscが運転者要求目標駆動力Ｆp_dvmよりも小さい値に演算されるが、挙動制御の修正目標駆動力Ｆp_t_future_vscは急激には低下せず、挙動制御の開始後徐々に低下する。
【００６５】
また修正目標駆動力演算部５８は、挙動制御の目標駆動力Ｆp_t_now_vscが演算されており挙動制御が必要であるとき又は車輌が高横力旋回状態にあると判定されているときには、当技術分野に於いて公知の要領にて各車輪の発生前後力Ｆwxi及び発生横力Ｆwyi（ｉ＝fl、fr、rl、rr）を演算する。そして修正目標駆動力演算部５８は、左右の後輪について発生前後力Ｆwxi及び発生横力Ｆwyiの二乗和平方根として左右後輪のタイヤ発生力Ｆ_current_tire_rl、Ｆ_current_tire_rrを演算し、それらの和を駆動輪のタイヤ発生力Ｆp_current_tireとする。
【００６６】
尚車輌が前輪駆動車である場合には、駆動輪のタイヤ発生力Ｆp_current_tireは左右前輪のタイヤ発生力の和に設定され、車輌が四輪駆動車である場合には、駆動輪のタイヤ発生力Ｆp_current_tireは左右前輪及び左右後輪のタイヤ発生力の和に設定される。
【００６７】
また修正目標駆動力演算部５８は、駆動輪のタイヤ発生力Ｆp_current_tireに対し下記の式６に従ってフィルタ処理後の駆動輪のタイヤ発生力Ｆp_current_tirefを演算すると共に、下記の式７に従ってフィルタ処理後の駆動輪のタイヤ発生力Ｆp_current_tiref及び駆動輪のタイヤ発生力Ｆp_current_tireのうちの大きい方の値を高横力旋回制御の目標駆動力Ｆp_t_future_tireとする。
Ｆp_current_tiref＝(１‐Ｋ3)／(１‐Ｋ3Ｚ-1)Ｆp_current_tire  ……（６）
Ｆp_current_tire＝MAX（Ｆp_current_tiref，Ｆp_current_tire）  ……（７）
【００６８】
尚上記式２、４、６に於けるフィルタ時定数Ｋ1、Ｋ2、Ｋ3は相互に異なる値であり、時にＫ2はＫ1、Ｋ3よりも大きい値に設定される。またフィルタ時定数Ｋ1、Ｋ2、Ｋ3は定数であってもよいが、図示の実施例に於いては駆動操作量検出センサ６２により検出される運転者の駆動操作量Ａが高いほど大きくなるよう、運転者の駆動操作量Ａに応じて可変設定される。
【００６９】
また修正目標駆動力演算部５８は、図４に示された変速線図を記憶しており、図３に示されたフローチャートに従ってトラクション制御の第二の修正目標駆動力Ｆp_t_future_trc2を演算する。
【００７０】
まずステップ１０に於いては左右後輪の駆動スリップ量ＳＡrl及びＳＡrrのうちの大きい方の値をＳＡrとして、駆動スリップ量ＳＡrが基準値ＳＡc（トラクション制御開始の基準値ＳＡsよりも大きい正の定数）以下であるか否かの判別が行われ、否定判別が行われたときにはステップ６０へ進み、肯定判別が行われたときにはステップ２０へ進む。
【００７１】
ステップ２０に於いては現在の変速段Ｓa及びトランスミッション１６の出力回転数Ｎtoutに基づき図４に示された変速線図より現在の変速段Ｓaにて可能な駆動装置１０Ａの駆動力の下限値Ｆp_t_lowが演算され、ステップ３０に於いてはμセンサ７８により検出された路面の摩擦係数μが低いほど制御ゲインＫmが小さい値になるよう、路面の摩擦係数μに基づいて図５に示されたグラフに対応するマップより制御ゲインＫmが演算される。
【００７２】
ステップ４０に於いては制御ゲインＫmと運転者要求目標駆動力Ｆp_dvmとの積として路面の摩擦係数μ及び運転者要求目標駆動力Ｆp_dvmに基づく暫定の目標駆動力Ｆp_t_mが演算され、ステップ５０に於いては下記の式８に従って駆動力の下限値Ｆp_t_low及び路面の摩擦係数μに基づく目標駆動力Ｆp_t_mのうちの大きい方の値がトラクション制御の第二の修正目標駆動力Ｆp_t_future_trc2に設定される。
Ｆp_t_future_trc2＝MAX（Ｆp_t_low，Ｆp_t_m）  ……（８）
【００７３】
ステップ６０及び７０に於いては現在の変速段Ｓa及びトランスミッション１６の出力回転数Ｎtoutに基づき図４に示された変速線図より現在の変速段Ｓaにて可能な駆動装置１０Ａの駆動力の下限値Ｆp_t_low及び上限値Ｆp_t_highがそれぞれ演算され、ステップ８０に於いては駆動力の下限値Ｆp_t_low及び上限値Ｆp_t_highの平均値としてトラクション制御の第二の修正目標駆動力Ｆp_t_future_trc2が演算される。
【００７４】
また修正目標駆動力演算部５８は、下記の式９に従ってトラクション制御の第一の修正目標駆動力Ｆp_t_future_trc1及び第二の修正目標駆動力Ｆp_t_future_trc2のうちの大きい値をトラクション制御の修正目標駆動力Ｆp_t_future_trcとすると共に、下記の式１０に従ってトラクション制御の修正目標駆動力Ｆp_t_future_trc、挙動制御の修正目標駆動力Ｆp_t_future_vsc、高横力旋回制御の修正目標駆動力Ｆp_t_future_tireのうちの最も大きい値をその後の車輪及び車輌の運動状態の変化に備えてトランスミッション１６の変速段を決定するための修正目標駆動力Ｆp_t_futureとする。
Ｆp_t_future_trc＝MAX（Ｆp_t_future_trc1，Ｆp_t_future_trc2）  ……（９）
Ｆp_t_future＝MAX（Ｆp_t_future_trc，Ｆp_t_future_vsc，Ｆp_t_future_tire）
……（１０）
【００７５】
更に修正目標駆動力演算部５８は、トラクション制御中又は挙動制御中又は高横力旋回状態にあると判定されているときには、修正目標駆動力Ｆp_t_futureがあるか否かを示すフラグＦ_FP_FUTUREをONに設定すると共に、修正目標駆動力Ｆp_t_futureを示す信号及びフラグＦ_FP_FUTURE信号を駆動力制御電子制御装置４０の調停部４６へ出力し、トラクション制御及び挙動制御の何れも実行されておらず高横力旋回状態にあると判定されていないときには、修正目標駆動力Ｆp_t_futureがあるか否かを示すフラグＦ_FP_FUTUREをOFFに設定し、修正目標駆動力Ｆp_t_futureを０に設定すると共に、修正目標駆動力Ｆp_t_futureを示す信号及びフラグＦ_FP_FUTURE信号を駆動力制御電子制御装置４０の調停部４６へ出力する。
【００７６】
尚トラクション制御及び挙動制御の何れも実行されておらず高横力旋回状態にあると判定されていないときには、修正目標駆動力Ｆp_t_futureが運転者要求目標駆動力Ｆp_dvmに設定されてもよい。
【００７７】
次に上述の如く構成された図示の実施例の作動を車輌の様々な走行状況について説明する。
【００７８】
（１）トラクション制御も挙動制御も不要である場合
車輌の挙動が安定しておりトラクション制御も挙動制御も不要であり車輌が高横力旋回状態にはないときには、フラグＦ_FP_NOW及びＦ_FP_FUTUREはOFFであり、調停後の目標駆動力Ｆp_now及び調停後の修正目標駆動力Ｆp_futureが運転者要求目標駆動力Ｆp_dvmに設定されるので、目標エンジン出力トルクＴet及びトランスミッション１６の目標変速段Ｓtは運転者要求目標駆動力Ｆp_dvmに基づいて演算され、これにより従来の駆動力制御装置の場合と同様、エンジン１０の出力及びトランスミッション１６の変速比は運転者の駆動要求に応じて制御される。
【００７９】
（２）トラクション制御は必要であるが挙動制御は不要である場合
駆動輪の駆動スリップが過大でありトラクション制御は必要であるが、車輌の走行運動は安定的であり挙動制御は不要である場合には、制駆動力分配後の目標駆動力Ｆp_t_nowがトラクション制御の目標駆動力Ｆp_t_now_trcに基づいて設定され、トラクション制御の目標駆動力Ｆp_t_now_trcに基づいてトラクション制御の第一の修正目標駆動力Ｆp_t_future_trc1が演算されると共に、運転者の駆動要求及び路面の摩擦係数μに基づいてトランスミッション１６の変速段の変更を防止するトラクション制御の第二の修正目標駆動力Ｆp_t_future_trc2が演算される。
【００８０】
そして第一の修正目標駆動力Ｆp_t_future_trc1及び第二の修正目標駆動力Ｆp_t_future_trc2のうちの大きい方の値がトラクション制御の修正目標駆動力Ｆp_t_future_trcに設定され、そしてフラグＦ_FP_NOW及びＦ_FP_FUTUREがONに設定され、調停後の目標駆動力Ｆp_now及び調停後の修正目標駆動力Ｆp_futureがそれぞれトラクション制御の目標駆動力Ｆp_t_now_trc、トラクション制御の修正目標駆動力Ｆp_t_future_trcに設定される。
【００８１】
従ってこの場合にはトラクション制御の目標駆動力Ｆp_t_now_trcに基づいて目標エンジン出力トルクＴetを演算し、エンジン１０の出力を確実に低下させて駆動輪の駆動スリップを効果的に低減することができると共に、目標駆動力Ｆp_t_now_trcよりも低下変化が小さく目標駆動力Ｆp_t_now_trcよりも大きいトラクション制御の修正目標駆動力Ｆp_t_future_trcに基づいてトランスミッション１６の目標変速段Ｓtを演算することができ、これにより車輌が一時的にマンホールの如き低摩擦係数の路面を通過する際にもトラクション制御によりトランスミッション１６の変速段がシフトアップされること及びこれに起因して車輌が低摩擦係数の路面を通過した直後に於ける加速不足を効果的に防止することができ、またトラクション制御中にトランスミッション１６の出力回転数Ｎtoutが増減することに起因してトランスミッション１６が不必要にシフトアップされたりシフトダウンされることを効果的に防止することができる。
【００８２】
特に図示の実施例によれば、左右後輪の駆動スリップ量ＳＡrl及びＳＡrrのうちの大きい方の値である駆動スリップ量ＳＡrが基準値ＳＡc以下であるときには、図３に示されたフローチャートのステップ１０に於いて肯定判別が行われ、ステップ２０に於いて現在の変速段Ｓa及びトランスミッション１６の出力回転数Ｎtoutに基づき現在の変速段Ｓaにて可能な駆動装置１０Ａの駆動力の下限値Ｆp_t_lowが演算され、ステップ３０に於いて路面の摩擦係数μが低いほど制御ゲインＫmが小さい値になるよう、路面の摩擦係数μに基づいて制御ゲインＫmが演算され、ステップ４０に於いて制御ゲインＫmと運転者要求目標駆動力Ｆp_dvmとの積として暫定の目標駆動力Ｆp_t_mが演算され、ステップ５０に於いて駆動力の下限値Ｆp_t_low及び路面の摩擦係数μに基づく目標駆動力Ｆp_t_mのうちの大きい方の値がトラクション制御の第二の修正目標駆動力Ｆp_t_future_trc2に設定される。
【００８３】
従って駆動スリップ量ＳＡrが基準値ＳＡc以下であるときには、運転者要求目標駆動力Ｆp_dvm及び路面の摩擦係数μに応じてトランスミッション１６の変速段の変更を抑制する値に第二の修正目標駆動力Ｆp_t_future_trc2を最適に設定することができると共に、トランスミッション１６の変速段が不必要にシフトアップされること、特に二段のシフトアップが行われることを確実に防止することができる。
【００８４】
また図示の実施例によれば、駆動スリップ量ＳＡrが基準値ＳＡcよりも大きいときには、図３に示されたフローチャートのステップ１０に於いて否定判別が行われ、ステップ６０及び７０に於いて現在の変速段Ｓa及びトランスミッション１６の出力回転数Ｎtoutに基づき現在の変速段Ｓaにて可能な駆動装置１０Ａの駆動力の下限値Ｆp_t_low及び上限値Ｆp_t_highがそれぞれ演算され、ステップ８０に於いて駆動力の下限値Ｆp_t_low及び上限値Ｆp_t_highの平均値としてトラクション制御の第二の修正目標駆動力Ｆp_t_future_trc2が演算される。
【００８５】
従ってトランスミッション１６の変速段が不必要にシフトアップされること及びシフトダウンされることを確実に防止する値として第二の修正目標駆動力Ｆp_t_future_trc2を演算することができ、トランスミッション１６の変速段が不必要にシフトアップされること及びシフトダウンされることを確実に防止することができる。
【００８６】
また図示の実施例によれば、トラクション制御の第一の修正目標駆動力Ｆp_t_future_trc1及び第二の修正目標駆動力Ｆp_t_future_trc2のうちの大きい値がトラクション制御の修正目標駆動力Ｆp_t_future_trcとされるので、トラクション制御が実行されている時間全体に亘りトラクション制御の修正目標駆動力Ｆp_t_future_trcを確実にトランスミッション１６の変速段の変更が行われない値に設定することができ、これによりトラクション制御の実行中にトランスミッション１６の変速段が変更されることを確実に防止することができる。
【００８７】
例えば運転者要求目標駆動力Ｆp_dvmが増加する過程に於いてトラクション制御が実行され、運転者要求目標駆動力Ｆp_dvm、トラクション制御の目標駆動力Ｆp_t_now_trc、トラクション制御の第一の修正目標駆動力Ｆp_t_future_trc1が図６に示されている如く変化し、第二の修正目標駆動力Ｆp_t_future_trc2が図８（Ａ）に示されている如く変化するとすると、トラクション制御の修正目標駆動力Ｆp_t_future_trcは図８（Ｂ）に示されている如く変化し、トラクション制御が実行される時間全体に亘りトラクション制御の修正目標駆動力Ｆp_t_future_trcを確実にトランスミッション１６の変速段の変更が行われない値に設定することができる。
【００８８】
（３）トラクション制御は不要であるが挙動制御は必要である場合
駆動輪の駆動力は過剰ではなくトラクション制御は不要であるが、車輌の走行運動は不安定であり車輌の駆動力の低減制御による挙動制御は必要である場合には、制駆動力分配後の目標駆動力Ｆp_t_nowが挙動制御の目標駆動力Ｆp_t_now_vscに基づいて設定され、挙動制御の目標駆動力Ｆp_t_now_vscに基づいて挙動制御の修正目標駆動力Ｆp_t_future_vscが演算され、フラグＦ_FP_NOW及びＦ_FP_FUTUREがONに設定され、調停後の目標駆動力Ｆp_now及び調停後の修正目標駆動力Ｆp_futureがそれぞれ挙動制御の目標駆動力Ｆp_t_now_vsc、挙動制御の修正目標駆動力Ｆp_t_future_vscに設定される。
【００８９】
従ってこの場合には挙動制御の目標駆動力Ｆp_t_now_vscに基づいて目標エンジン出力トルクＴetを演算し、エンジン１０の出力を確実に低下させて車輌の走行運動を効果的に安定化させることができると共に、挙動制御の目標駆動力Ｆp_t_now_vscよりも低下変化が小さい挙動制御の修正目標駆動力Ｆp_t_future_vscに基づいてトランスミッション１６の目標変速段Ｓtを演算することができ、これにより車輌の走行運動の不安定化が一時的である場合に挙動制御によりトランスミッション１６の変速段が不必要にシフトアップされること及びこれに起因して一時的な挙動制御が完了した直後に於ける加速不足を効果的に防止することができる。
【００９０】
尚車輌の走行運動の不安定な状況が長く継続するような場合には、挙動制御の修正目標駆動力Ｆp_t_future_vscが変速線まで低下した段階でトランスミッション１６の変速段がシフトアップされるので、不安定な走行状態が長く継続するような場合にも駆動力が過大な状況が長時間に亘り継続することはない。
【００９１】
（４）トラクション制御及び挙動制御が必要である場合
駆動輪の駆動力は過剰であり車輌の走行運動も不安定であることによりトラクション制御及び挙動制御の何れも必要である場合には、制駆動力分配後の目標駆動力Ｆp_t_nowがトラクション制御の目標駆動力Ｆp_t_now_trc及び挙動制御の目標駆動力Ｆp_t_now_vscのうちの小さい方の値に設定され、修正目標駆動力Ｆp_t_futureがトラクション制御の目標駆動力Ｆp_t_now_trc、挙動制御の修正目標駆動力Ｆp_t_future_vsc、高横力旋回制御の修正目標駆動力Ｆp_t_future_tireのうちの最も大きい値に設定され、フラグＦ_FP_NOW及びＦ_FP_FUTUREがONに設定され、調停後の目標駆動力Ｆp_now及び調停後の修正目標駆動力Ｆp_futureがそれぞれ目標駆動力Ｆp_t_now、修正目標駆動力Ｆp_t_futureに設定される。
【００９２】
従ってこの場合には目標駆動力Ｆp_t_nowに基づいて目標エンジン出力トルクＴetを演算し、エンジン１０の出力を確実に低下させて駆動輪の駆動スリップを効果的に低減すると共に車輌の走行運動を効果的に安定化させることができ、また目標駆動力Ｆp_t_nowよりも低下変化が小さい修正目標駆動力Ｆp_t_futureに基づいてトランスミッション１６の目標変速段Ｓtを演算することができ、これにより駆動輪の過大な駆動スリップや車輌の走行運動の不安定化が一時的である場合にトラクション制御や挙動制御によりトランスミッション１６の変速段が不必要にシフトアップされること及びこれに起因して一時的なトラクション制御や挙動制御が完了した直後に於ける加速不足を効果的に防止することができる。
【００９３】
特に図示の実施例によれば、フィルタ時定数Ｋ1、Ｋ2、Ｋ3は駆動操作量検出センサ６２により検出される運転者の駆動操作量Ａが高いほど大きくなるよう、運転者の駆動操作量Ａに応じて可変設定されるので、運転者の駆動要求が高いほど修正目標駆動力Ｆp_t_futureの低下勾配を小さくしてトランスミッション１６の変速段のシフトアップが行われ難くし、これにより車輌が低摩擦係数の路面を一時的に通過した直後に於ける加速不足を効果的に防止して運転者の駆動要求を充足することができ、また運転者の駆動要求が高くないときには修正目標駆動力Ｆp_t_futureの低下勾配を大きくしてトランスミッション１６の変速段のシフトアップが行われ易くし、これにより車輌の駆動力の低減を速やかに実行することができる。
【００９４】
また図示の実施例によれば、運動状態推定部５４により車輌が高横力旋回状態にあるか否かが判定され、修正目標駆動力演算部５８により駆動輪のタイヤ発生力Ｆp_current_tireが演算されると共に、タイヤ発生力Ｆp_current_tireよりも低下勾配が小さい高横力旋回制御の目標駆動力Ｆp_t_future_tireが演算され、トランスミッション１６の変速段を決定するための修正目標駆動力Ｆp_t_futureは上記式１０に従ってトラクション制御の修正目標駆動力Ｆp_t_future_trc、挙動制御の修正目標駆動力Ｆp_t_future_vsc、高横力旋回制御の修正目標駆動力Ｆp_t_future_tireのうちの最も大きい値に設定されるので、車輌の高横力旋回状態が考慮されない場合に比して、車輌が高横力旋回状態にある状況に於いてトランスミッション１６がアップシフトされ難くすることができ、従って車輌が高横力旋回状態にある状況に於いてトランスミッション１６のアップシフトが行われることにより駆動輪の駆動力が急激に低下し、これに起因して駆動輪の横力が急激に変化し車輌の挙動が急変する虞れを確実に低減することができる。
【００９５】
また図示の実施例によれば、フィルタ時定数Ｋ2はフィルタ時定数Ｋ1、Ｋ3よりも大きい値に設定されており、同一の目標駆動力の変化について見て挙動制御の修正目標駆動力Ｆp_t_future_vscの低下勾配はトラクション制御の修正目標駆動力Ｆp_t_future_trc及び高横力旋回制御の修正目標駆動力Ｆp_t_future_tireの低下勾配よりも大きいので、車輌の走行運動が不安定である場合には駆動輪の駆動力が過剰である場合に比してトランスミッション１６のアップシフトを早期に行わせることができ、これにより駆動輪の駆動力が過剰であることに起因する車輌の不安定な走行状態を効果的に安定化させることができる。
【００９６】
以上に於いては本発明を特定の実施例について詳細に説明したが、本発明は上述の実施例に限定されるものではなく、本発明の範囲内にて他の種々の実施例が可能であることは当業者にとって明らかであろう。
【００９７】
例えば上述の実施例に於いては、ステップ８０に於いて駆動力の下限値Ｆp_t_low及び上限値Ｆp_t_highの平均値としてトラクション制御の第二の修正目標駆動力Ｆp_t_future_trc2が演算されるようになっているが、第二の修正目標駆動力Ｆp_t_future_trc2は駆動力の下限値Ｆp_t_lowよりも大きく且つ上限値Ｆp_t_highよりも小さい値である限り、任意の要領にて演算されてよい。
【００９８】
また上述の実施例に於いては、トラクション制御の第一の修正目標駆動力Ｆp_t_future_trc1及び第二の修正目標駆動力Ｆp_t_future_trc2のうちの大きい方の値がトラクション制御の修正目標駆動力Ｆp_t_future_trcとされるようになっているが、第一の修正目標駆動力Ｆp_t_future_trc1の演算が省略され、実施例の第二の修正目標駆動力Ｆp_t_future_trc2が修正目標駆動力Ｆp_t_future_trcとして演算されるよう修正されてもよい。
【００９９】
また上述の実施例に於いては、修正目標駆動力演算部５８が図４に示された変速線図を記憶しており、該変速線図に基づいて駆動力の下限値Ｆp_t_low及び上限値Ｆp_t_highが演算されるようになっているが、修正目標駆動力演算部５８が変速線図を記憶せず、駆動力の下限値Ｆp_t_low及び上限値Ｆp_t_highを示す情報が駆動力制御電子制御装置４０の発生駆動力演算部５０より通信により供給されるよう修正されてもよい。
【０１００】
また上述の実施例に於いては、修正目標駆動力Ｆp_t_future_trc、Ｆp_t_future_vsc、Ｆp_t_future_tireはそれぞれ目標駆動力Ｆp_t_future_trc、Ｆp_t_future_vsc、Ｆp_current_tireに対しフィルタ処理を施すことにより演算されるようになっているが、修正目標駆動力Ｆp_t_future_trc、Ｆp_t_future_vsc、Ｆp_t_future_tireはそれぞれ目標駆動力Ｆp_t_future_trc、Ｆp_t_future_vsc、Ｆp_current_tireよりも低下勾配が小さい限り、それぞれ目標駆動力Ｆp_t_future_trc、Ｆp_t_future_vsc、Ｆp_current_tireに基づいて任意の要領にて演算されてよい。
【０１０１】
また上述の実施例に於いては、修正目標駆動力演算部５８により高横力旋回制御の目標駆動力Ｆp_t_future_tireが演算され、トラクション制御の修正目標駆動力Ｆp_t_future_trc、挙動制御の修正目標駆動力Ｆp_t_future_vsc、高横力旋回制御の修正目標駆動力Ｆp_t_future_tireのうちの最も大きい値がトランスミッションの変速段を決定するための修正目標駆動力Ｆp_t_futureとされるようになっているが、高横力旋回制御の目標駆動力Ｆp_t_future_tireが省略され、修正目標駆動力Ｆp_t_futureはトラクション制御の修正目標駆動力Ｆp_t_future_trc及び挙動制御の修正目標駆動力Ｆp_t_future_vscのうちの大きい方の値に設定されるよう修正されてもよい。
【０１０２】
また上述の実施例に於いては、車輌は後輪駆動車であるが、本発明の駆動力制御装置は前輪駆動車や四輪駆動車に適用されてもよく、また駆動力発生源はエンジンであるが、本発明の駆動力制御装置は駆動力発生源がハイブリッドシステムである車輌に適用されてもよい。
【０１０３】
また上述の実施例に於いては、トランスミッションの変速機は多段式の自動変速機であるが、変速機は無段式の自動変速機であってもよく、その場合には修正目標駆動力Ｆp_t_futureに基づいて無段変速機の目標変速比が演算される。
【図面の簡単な説明】
【０１０４】
【図１】後輪駆動車に適用された本発明による車輌の駆動力制御装置の一つの実施例を示す概略構成図である。
【図２】実施例の制御系を示すブロック図である。
【図３】実施例に於けるトラクション制御の第二の修正目標駆動力Ｆp_t_future_trc2の演算ルーチンを示すフローチャートである。
【図４】実施例に於ける変速線図を示すグラフである。
【図５】実施例に於ける路面の摩擦係数μと制御ゲインＫmとの間の関係を示すグラフである。
【図６】運転者の加速要求が増加し、運転者要求目標駆動力Ｆp_dvmが増加する過程に於いてトラクション制御が実行される場合に於ける運転者要求目標駆動力Ｆp_dvm、トラクション制御の目標駆動力Ｆp_t_now_trc、トラクション制御の第一の修正目標駆動力Ｆp_t_future_trc1の変化の一例を示すグラフである。
【図７】運転者の加速要求が増加し、運転者要求目標駆動力Ｆp_dvmが増加する過程に於いて挙動制御が実行される場合に於ける運転者要求目標駆動力Ｆp_dvm、挙動制御の目標駆動力Ｆp_t_now_vsc、挙動制御の修正目標駆動力Ｆp_t_future_vscの変化の一例を示すグラフである。
【図８】運転者要求目標駆動力Ｆp_dvmが増加する過程に於いてトラクション制御が実行される場合に於ける運転者要求目標駆動力Ｆp_dvm、トラクション制御の目標駆動力Ｆp_t_now_trc、トラクション制御の第二の修正目標駆動力Ｆp_t_future_trc2の変化の一例を示すグラフ（Ａ）及びトラクション制御の修正目標駆動力Ｆp_t_future_trcの変化の一例を示すグラフ（Ｂ）である。
【符号の説明】
【０１０５】
１０  エンジン
１６  トランスミッション
２６  制動装置
３２  統合制御電子制御装置
３４  アクセルぺダル
３６  ブレーキぺダル
４０  駆動力制御電子制御装置
４２  制動力制御電子制御装置
６４  エンジン制御装置
６６  自動変速機制御装置
６８i  車輪速度センサ
７０  車輌状態量検出センサ
７２  制動力制御装置
７４  制動操作量検出センサ
７６  回転数センサ
７８  μセンサ
【図１】
0004784741.tif 000002
【図２】
0004784741.tif 000003
【図３】
0004784741.tif 000004
【図４】
0004784741.tif 000005
【図５】
0004784741.tif 000006
【図６】
0004784741.tif 000007
【図７】
0004784741.tif 000008
【図８】
0004784741.tif 000009